(57)【要約】【課題】ユーザ及びサーバの負担を少なくできるメールアドレス変更通知システムを提供する。【解決手段】メール機能を持つ端末２０と、端末のメールアドレスの変更処理を行うサーバ１０とを備えるシステムであって、端末２０は、メール送信先のメールアドレスを登録したアドレス帳を保持し、メールアドレスの変更を要求した端末１０は、サーバ１０からメールアドレスの変更処理完了が通知されると、アドレス帳に登録されたメール送信先の中からアドレス変更通知を送るメール送信先を決定し、そのメール送信先のメールアドレスを宛先とし、端末２０の変更前のメールアドレスと変更後のメールアドレスとを含むアドレス変更通知メールを、端末２０またはサーバ１０から、他の端末３０、５０に送信する。ユーザが事前にサーバ１０にアドレス変更送信先を登録したり、サーバ１０がそれを管理したりする必要が無く、ユーザやサーバの負担を軽減できる。【選択図】図１
2007066051.tif 000002
【特許請求の範囲】
【請求項１】
メール機能を有する端末と、前記端末のメールアドレスの変更処理を行うサーバとを備えるシステムであって、
前記端末は、メール送信先のメールアドレスを登録したアドレス帳を保持し、前記サーバにメールアドレスの変更を要求した端末は、前記サーバから前記メールアドレスの変更処理完了が通知されると、前記アドレス帳に登録されたメール送信先の中からアドレス変更通知メールを送るメール送信先を決定し、
決定された前記メール送信先のメールアドレスを宛先とし、前記端末の変更前のメールアドレスと変更後のメールアドレスとを含む前記アドレス変更通知メールが他の端末に送信されるメールアドレス変更通知システム。
【請求項２】
請求項１に記載のメールアドレス変更通知システムであって、
前記サーバは、メールアドレスの変更処理を行った端末の変更前のメールアドレスと変更後のメールアドレスとを保持し、前記端末は、前記アドレス変更通知メールを送ることに決定した前記メール送信先のメールアドレスを前記サーバに送信し、前記サーバが、前記アドレス変更通知メールを生成して、前記他の端末に送信するメールアドレス変更通知システム。
【請求項３】
請求項１に記載のメールアドレス変更通知システムであって、
前記端末は、変更前のメールアドレスと変更後のメールアドレスとを保持し、前記端末が、前記アドレス変更通知メールを生成して、前記他の端末に送信するメールアドレス変更通知システム。
【請求項４】
請求項１ないし３のいずれか１項記載のメールアドレス変更通知システムであって、
前記アドレス変更通知メールを受信した前記他の端末は、保持しているアドレス帳に前記変更前のメールアドレスが存在する場合に、当該メールアドレスを変更後のメールアドレスに更新するメールアドレス変更通知システム。
【請求項５】
請求項１ないし３のいずれか１項記載のメールアドレス変更通知システムであって、
前記端末は、メールアドレス以外の少なくともユーザを特定可能ユーザ情報を、前記アドレス変更通知メールに付加し、
前記アドレス変更通知メールを受信した前記他の端末は、保持しているアドレス帳に前記変更前のメールアドレスが存在しない場合に、前記アドレス変更通知メールに含まれるユーザ情報を基に、変更後のメールアドレスをアドレス帳に追加するメールアドレス変更通知システム。
【請求項６】
メール機能を有する端末であって、
メール送信先のメールアドレスを登録したアドレス帳と、
前記アドレス帳を検索するアドレス帳検索部と、を備え、
自身のメールアドレスの変更を要求したサーバから前記メールアドレスの変更処理完了が通知されたときに、アドレス変更通知メールを送るメール送信先を、前記アドレス帳に登録されたメール送信先の中から決定し、当該メール送信先のメールアドレスを前記アドレス帳から求める端末。
【請求項７】
請求項６に記載の端末であって、
さらに、前記アドレス帳から求めたメールアドレスのデータを圧縮するデータ圧縮部を備え、前記データ圧縮部が圧縮したデータを前記サーバに送信する端末。
【請求項８】
請求項６に記載の端末であって、
さらに、変更したメールアドレスの変更前のメールアドレスと変更後のメールアドレスとを保持する記憶部を備え、前記アドレス帳から求めたメールアドレスを宛先とし、前記変更前のメールアドレス及び変更後のメールアドレスを含む前記アドレス変更通知メールを生成して、他の端末に送信する端末。
【請求項９】
請求項８に記載の端末であって、
さらに、前記アドレス変更通知メールのメールヘッダに、メールアドレスの変更を示す属性情報を付加するメールヘッダ追加部を備える端末。
【請求項１０】
請求項６ないし９のいずれか1項記載の端末であって、
さらに、受信したメールが前記アドレス変更通知メールか否かを識別するメール識別部と、前記アドレス帳を更新するアドレス帳更新部とを備え、
受信したメールがアドレス変更通知メールと識別された場合に、前記アドレス変更通知メールに記述された変更前のメールアドレスが前記アドレス帳に存在する場合に、当該メールアドレスを変更後のメールアドレスに更新する端末。
【請求項１１】
請求項６ないし９のいずれか1項記載の端末であって、
さらに、受信したメールが前記アドレス変更通知メールか否かを識別するメール識別部と、前記アドレス帳を更新するアドレス帳更新部とを備え、
受信したメールがアドレス変更通知メールと識別され、かつ前記アドレス変更通知メールに記述された変更前のメールアドレスが前記アドレス帳に存在しない場合に、当該アドレス変更通知メールにメールアドレス以外の少なくともユーザを特定可能ユーザ情報が付加されているか否か判定し、
当該ユーザ情報が付加されていると判定された場合、前記他の端末は、保持しているアドレス帳に、前記ユーザ情報を基に、変更後のメールアドレスをアドレス帳に追加する端末。
【請求項１２】
請求項１０に記載の端末であって、
前記メール識別部が、受信したメールのメールヘッダを解析し、メールの送信元が前記サーバであるとき、当該メールを前記アドレス変更通知メールと識別する端末。
【請求項１３】
請求項１０に記載の端末であって、
前記メール識別部が、受信したメールのメールヘッダを解析し、メールヘッダにメールアドレスの変更を示す属性情報が含まれているとき、当該メールを前記アドレス変更通知メールと識別する端末。
【請求項１４】
請求項９に記載の端末であって、
前記メール識別部が、受信したメールからアドレス変更を示す単語を検出したとき、当該メールを前記アドレス変更通知メールと識別する端末。
【請求項１５】
端末のメールアドレスの変更処理を行うサーバであって、
前記変更処理を行うアドレス変更処理部と、
前記変更処理を行った端末の変更前のメールアドレスと変更後のメールアドレスとを保持する記憶部と、
前記端末から圧縮されて送られて来るアドレス変更通知メール用のメールアドレスデータを解凍するアドレスデータ解凍部と、
前記アドレスデータ解凍部で解凍されたメールアドレスを宛先とし、前記端末の変更前のメールアドレスと変更後のメールアドレスとを含むメールヘッダを作成するメールヘッダ追加部と、を備え、
前記メールヘッダ追加部により作成されたメールヘッダを前記アドレス変更通知メールに付して他の端末に送信するサーバ。
【発明の詳細な説明】
【技術分野】
【０００１】
本発明は、メール送信可能な端末のメールアドレスが変更されたことを他の端末に通知するシステムと、そのシステムを構成する端末及びサーバに関し、特に、ユーザに負担を掛けずにメールアドレスの変更が通知できるようにしたものである。
【背景技術】
【０００２】
迷惑メールを防ぐために携帯電話のメールアドレスを変更する場合が少なくないが、こうしたとき、変更内容を通知したい相手に対して、更新したメールアドレスを伝える作業はかなり面倒である。
【０００３】
下記特許文献１には、こうした面倒を解消するためのメールアドレス変更通知システムが提案されている。
【０００４】
このシステムでは、携帯電話のユーザが、予め、メールアドレスの変更を知らせたい通知先メールアドレスを携帯電話事業者センタに登録する。携帯電話事業者センタは、ユーザの携帯電話からメールアドレス変更の要求が有った場合に、メールアドレスの変更を行った後、登録された通知先にメールアドレス変更通知を送る。
【特許文献１】特開２００３−３１６６９５号公報
【発明の開示】
【発明が解決しようとする課題】
【０００５】
しかし、このシステムでは、メールアドレス変更通知の送り先をユーザが携帯電話事業者センタ（サーバ）に予め登録する必要があり、ユーザに負担が掛かる。また、このシステムを利用するユーザが増えた場合、登録された大量のデータを管理するサーバ側の負担も大きなものとなる。
【０００６】
本発明は、こうした事情を考慮して創案したものであり、ユーザ及びサーバの負担を少なくすることができるメールアドレス変更通知システムを提供し、また、そのシステムで用いる端末及びサーバを提供することを目的としている。
【課題を解決するための手段】
【０００７】
本発明は、メール機能を有する端末と、前記端末のメールアドレスの変更処理を行うサーバとを備えるシステムであって、端末は、メール送信先のメールアドレスを登録したアドレス帳を保持し、サーバにメールアドレスの変更を要求した端末は、サーバから前記メールアドレスの変更処理完了が通知されると、アドレス帳に登録されたメール送信先の中からアドレス変更通知メールを送るメール送信先を決定し、決定された前記メール送信先のメールアドレスを宛先とし、前記端末の変更前のメールアドレスと変更後のメールアドレスとを含むアドレス変更通知メールが他の端末に送信される。
【０００８】
このように、このシステムでは、端末のアドレス帳の中からアドレス変更通知メールの送り先が決定される。
【０００９】
また、本発明のシステムでは、サーバは、メールアドレスの変更処理を行った端末の変更前のメールアドレスと変更後のメールアドレスとを保持し、端末は、アドレス変更通知メールを送ることに決定したメール送信先のメールアドレスをサーバに送信し、サーバが、アドレス変更通知メールを生成して、他の端末に送信する。
【００１０】
このシステムでは、端末のメールアドレスの変更がサーバを通じて通知される。
【００１１】
また、本発明のシステムでは、端末は、変更前のメールアドレスと変更後のメールアドレスとを保持し、端末が、アドレス変更通知メールを生成して、他の端末に送信する。
【００１２】
このシステムでは、端末のメールアドレスの変更が、端末自身により他の端末に伝えられる。
【００１３】
また、本発明のシステムでは、アドレス変更通知メールを受信した他の端末は、保持しているアドレス帳に前記変更前のメールアドレスが存在する場合に、当該メールアドレスを変更後のメールアドレスに更新する。
【００１４】
このシステムでは、アドレス帳のメールアドレスが自動的に更新される。
【００１５】
また、本発明のシステムでは、端末が、メールアドレス以外の少なくともユーザを特定可能ユーザ情報を、前記アドレス変更通知メールに付加し、アドレス変更通知メールを受信した他の端末は、保持しているアドレス帳に変更前のメールアドレスが存在しない場合に、アドレス変更通知メールに含まれるユーザ情報を基に、変更後のメールアドレスをアドレス帳に追加する。
【００１６】
このシステムでは、受信側の端末が、変更通知を発した端末のメールアドレスを所有していない場合であっても、名前、電話番号などのユーザ情報を基に、変更後のアドレスをアドレス帳に追加することができる。
【００１７】
また、本発明は、メール機能を有する端末であって、メール送信先のメールアドレスを登録したアドレス帳と、アドレス帳を検索するアドレス帳検索部とを備え、自身のメールアドレスの変更を要求したサーバからメールアドレスの変更処理完了が通知されたときに、アドレス変更通知メールを送るメール送信先を、アドレス帳に登録されたメール送信先の中から決定し、当該メール送信先のメールアドレスをアドレス帳から求める。
【００１８】
このように、端末のメールアドレスを変更したときに、この変更を知らせるアドレス変更通知メールの送り先が端末のアドレス帳の中から決定される。
【００１９】
また、本発明の端末は、さらに、前記アドレス帳から求めたメールアドレスのデータを圧縮するデータ圧縮部を備え、データ圧縮部が圧縮したデータをサーバに送信する。
【００２０】
アドレス変更通知メールは、サーバで作られて、アドレス帳から決定した送信先に送られる。
【００２１】
また、本発明の端末は、さらに、変更したメールアドレスの変更前のメールアドレスと変更後のメールアドレスとを保持する記憶部を備え、前記アドレス帳から求めたメールアドレスを宛先とし、変更前のメールアドレス及び変更後のメールアドレスを含むアドレス変更通知メールを生成して、他の端末に送信する。
【００２２】
アドレス変更通知メールは、端末で作られて、アドレス帳から決定した送信先に送られる。
【００２３】
また、本発明の端末では、さらに、前記アドレス変更通知メールのメールヘッダに、メールアドレスの変更を示す属性情報を付加するメールヘッダ追加部を備える。
【００２４】
アドレス変更通知メールを受信した端末は、この属性情報を検出してアドレス変更通知メールと識別することができる。
【００２５】
また、本発明の端末では、さらに、受信したメールがアドレス変更通知メールか否かを識別するメール識別部と、アドレス帳を更新するアドレス帳更新部とを備え、受信したメールがアドレス変更通知メールと識別された場合に、このアドレス変更通知メールに記述された変更前のメールアドレスがアドレス帳に存在する場合に、当該メールアドレスを変更後のメールアドレスに更新する。
【００２６】
そのため、他の端末のアドレス変更通知メールを受信したとき、アドレス帳のメールアドレスが自動的に更新される。
【００２７】
また、本発明の端末では、上記と同じくメール識別部とアドレス帳更新部とを備え、受信したメールがアドレス変更通知メールと識別され、かつアドレス変更通知メールに記述された変更前のメールアドレスがアドレス帳に存在しない場合に、当該アドレス変更通知メールにメールアドレス以外の少なくともユーザを特定可能ユーザ情報が付加されているか否か判定し、当該ユーザ情報が付加されていると判定された場合、他の端末は、保持しているアドレス帳に、ユーザ情報を基に、変更後のメールアドレスをアドレス帳に追加する。
【００２８】
この端末では、受信側の端末が、変更通知を発した端末のメールアドレスを所有していない場合であっても、名前、電話番号などのユーザ情報を基に、変更後のアドレスをアドレス帳に追加することができる。
【００２９】
また、本発明の端末では、メール識別部が、受信したメールのメールヘッダを解析し、メールの送信元がサーバであるとき、当該メールを前記アドレス変更通知メールと識別する。
【００３０】
こうして、サーバから送信されたアドレス変更通知メールを識別することができる。
【００３１】
また、本発明の端末は、メール識別部が、受信したメールのメールヘッダを解析し、メールヘッダにメールアドレスの変更を示す属性情報が含まれているとき、当該メールをアドレス変更通知メールと識別する。
【００３２】
こうして、端末から送信されたアドレス変更通知メールを識別することができる。
【００３３】
また、本発明の端末は、メール識別部が、受信したメールからアドレス変更を示す単語を検出したとき、当該メールを前記アドレス変更通知メールと識別する。
【００３４】
いわゆる曖昧検出でアドレス変更通知メールか否かを検出する。
【００３５】
また、本発明は、端末のメールアドレスの変更処理を行うサーバであって、この変更処理を行うアドレス変更処理部と、変更処理を行った端末の変更前のメールアドレスと変更後のメールアドレスとを保持する記憶部と、端末から圧縮されて送られて来るアドレス変更通知メール用のメールアドレスデータを解凍するアドレスデータ解凍部と、アドレスデータ解凍部で解凍されたメールアドレスを宛先とし、端末の変更前のメールアドレスと変更後のメールアドレスとを含むメールヘッダを作成するメールヘッダ追加部とを備え、メールヘッダ追加部により作成されたメールヘッダをアドレス変更通知メールに付して他の端末に送信する。
【００３６】
端末のメールアドレスの変更が、サーバを通じて他の端末に通知される。
【発明の効果】
【００３７】
本発明のメールアドレス変更通知システムでは、端末のメールアドレスの変更を他の端末に伝える場合に、ユーザが事前にサーバに送信先を登録したり、サーバがそれを管理したりする必要が無く、ユーザやサーバの負担を軽減することができる。また、本発明の端末及びサーバは、このシステムを可能にする。
【発明を実施するための最良の形態】
【００３８】
（第１の実施形態）
図１は、本発明の第１の実施形態におけるメールアドレス変更通知システムの概略図である。
【００３９】
このシステムは、メール機能を備えた携帯電話２０、３０、４０、５０と、メールアドレスの変更を受け付けるサーバ１０とから成る。ここでは、ユーザＡの携帯電話を携帯電話Ａ２０、ユーザＢのものを携帯電話Ｂ３０、と言うように表示している。
【００４０】
ユーザＡは、携帯電話Ａ２０でサーバ１０にアクセスし、携帯電話Ａ２０のメールアドレスを変更する。メールアドレスの更新が完了すると、携帯電話Ａ２０は、電話帳（＝メールアドレス帳）に登録されているメールアドレスの中からアドレス変更の通知を行うメールアドレスをユーザＡに選択させ、ユーザＡが選択したメールアドレスのデータをサーバ１０にメールする。
【００４１】
ここでは、ユーザＢの携帯電話Ｂ３０及びユーザＤの携帯電話Ｄ５０のメールアドレスだけが選択され、ユーザＣの携帯電話Ｃ４０のメールアドレスは選択されなかった場合を示している。
【００４２】
サーバ１０は、携帯電話Ｂ３０及び携帯電話Ｄ５０のメールアドレスを宛先として、携帯電話Ａ２０の新メールアドレス及び旧メールアドレスを伝えるアドレス変更通知をメールする。
【００４３】
このメールを受信した携帯電話Ｂ３０及び携帯電話Ｄ５０は、電話帳に携帯電話Ａ２０の旧メールアドレスがある場合に、それを新メールアドレスに更新する。
【００４４】
図２は、携帯電話２０の構成を示すブロック図である（携帯電話３０、５０の構成も同様である）。
【００４５】
この携帯電話２０は、通信部２３と、記憶部２２と、演算部２１と、表示部２４と、入力部２５とを備えている。通信部２３は、送信部２３２と受信部２３１とを有している。記憶部２２は、更新後のメールアドレスを記憶するユーザ新メールアドレス記憶部２２２と、電話帳となる送信先メールアドレス記憶部２２３とを有している。
【００４６】
演算部２１は、アドレスデータを圧縮するアドレスデータ圧縮部２１１と、電話帳を検索する電話帳検索部２１２と、メールのヘッダを解析するメールヘッダ解析部２１４と、電話帳を更新する電話帳更新部２１５とを有している。
【００４７】
電話帳検索部２１２は、アドレス変更通知先のメールアドレスを選択するために送信先メールアドレス記憶部２２３を検索し、また、アドレス変更通知を受信した場合に、更新すべきメールアドレスを選択するために送信先メールアドレス記憶部２２３を検索する。アドレスデータ圧縮部２１１は、サーバ１０に送るアドレスデータを圧縮する。メールヘッダ解析部２１４は、受信したメールのヘッダを解析して、メールがサーバ１０を送信元とするアドレス変更通知である場合に、メールヘッダに記述された新旧のメールアドレスを検出する。また、電話帳更新部２１５は、電話帳検索部２１２が送信先メールアドレス記憶部２２３から旧メールアドレスを検索した場合に、それを新メールアドレスに更新する。
【００４８】
演算部２１は、携帯電話２０に搭載されたメールアドレス変更通知用プログラムを実行することにより、このアドレスデータ圧縮部２１１、電話帳検索部２１２、メールヘッダ解析部２１４及び電話帳更新部２１５を実現する。また、演算部２１は、このプログラムが規定するＧＵＩにより、ユーザの意向を確認する画面を表示部２４に表示し、入力部２５から行われた入力操作に基づいて、指定された処理を実行する。
【００４９】
また、図３は、サーバ１０の構成を示すブロック図である。サーバ１０は、通信部１３と、記憶部１２と、演算部１１とを備えている。通信部１３は、送信部１３２と受信部１３１とを有している。記憶部１２は、アドレス変更を行った各携帯電話の古いメールアドレスを記憶するユーザ旧メールアドレス記憶部１２１と、アドレス変更を行った各携帯電話の新しいメールアドレスを記憶するユーザ新メールアドレス記憶部１２２とを有している。演算部１１は、メールアドレスの変更処理を行うアドレス変更処理部１１１と、圧縮されているアドレスデータを解凍するアドレスデータ解凍部１１２と、アドレス変更通知のメールヘッダに必要なデータを追加するメールヘッダ追加部１１３とを備えている。
【００５０】
アドレス変更処理部１１１は、携帯電話の要求を受けてメールアドレスの変更処理を行い、変更前のメールアドレスをユーザ旧メールアドレス記憶部１２１に格納し、変更後のメールアドレスをユーザ新メールアドレス記憶部１２２に格納する。アドレスデータ解凍部１１２は、携帯電話から圧縮されて送られて来るアドレスデータを解凍し、メールアドレスを復元する。メールヘッダ追加部１１３は、アドレス変更通知メールのヘッダに、当該携帯電話の新及び旧のメールアドレスを追加し、復元されたメールアドレスを送信先とするメールヘッダを生成する。
【００５１】
演算部１１は、サーバ１０に搭載されたメールアドレス変更通知用プログラムを実行することにより、このアドレス変更処理部１１１、アドレスデータ解凍部１１２及びメールヘッダ追加部１１３を実現する。
【００５２】
次に、このシステムでの処理手順を図４、図５及び図６のフロー図に基づいて説明する。
ユーザＡは、携帯電話Ａから新メールアドレスを入力してメールアドレスの変更操作を行う（ステップ１）。携帯電話Ａは、サーバにアクセスしてメールアドレスの変更を要求する（ステップ２）。サーバは、携帯電話Ａのアドレス変更処理を行い、新旧メールアドレスをそれぞれユーザ旧メールアドレス記憶部１２１、ユーザ新メールアドレス記憶部１２２に保存する（ステップ３）。サーバは、アドレス変更処理の完了を携帯電話Ａに通知する（ステップ４）。
【００５３】
この通知を受けた携帯電話Ａの演算部２１は、アドレス変更処理が完了したことを表示部２４に表示し（ステップ５）、「電話帳に登録されているメールアドレスに対して、メールアドレスを変更したことを通知しますか？」と表示する（ステップ６）。ユーザＡは、いずれかを選択する操作を入力部２５から行う（ステップ７）。「いいえ」を選択した場合は（ステップ８でＮｏ）、処理を終了する。
【００５４】
「はい」を選択した場合（ステップ８でＹｅｓ）、演算部２１は、図７のように、電話帳検索部２１２が送信先メールアドレス記憶部２２３から検索したアドレス情報の名前の前にチェックボックスを付して表示し、「メールアドレスを変更したことを通知したくない人のチェックボックスをオフにして下さい」と表示する（ステップ９）。ユーザＡは、チェックボックスをオン・オフする操作を行う（ステップ１０）。チェックボックスが全てオフの場合は（ステップ１１でＮｏ）、「チェックボックスが全てオフになっています。処理を中断しますか？」と表示して（ステップ１５）、ユーザの選択を待ち（ステップ１６）、「はい」の場合に（ステップ１７でＹｅｓ）処理を終了する。「いいえ」の場合（ステップ１７でＮｏ）はステップ９に戻る。
【００５５】
チェックボックスが１つでもオンの場合は（ステップ１１でＹｅｓ）、「メールのタイトル・本文を書いて下さい。」と表示し（ステップ１２）、ユーザＡが、図８に示すように、メールタイトルと本文とを入力すると（ステップ１３）、「チェックボックスがオンになっている人に対して、メールアドレスを変更したことを通知します。よろしいですか？」と表示する（ステップ１４）。
【００５６】
ユーザＡが「いいえ」を選択した場合は（ステップ１８でＮｏ）、ステップ６に戻る。「はい］を選択した場合は（ステップ１８でＹｅｓ）、チェックボックスがオンになっているユーザのアドレスデータを送信先メールアドレス記憶部２２３から読み出して圧縮し（ステップ１９）、図８のメールに、このアドレスデータを添付してサーバに送信する（ステップ２０）。
【００５７】
サーバの演算部１１は、このメールを受信すると（ステップ２１）、アドレスデータを解凍し（ステップ２２）、図９に示すように、先に保存したユーザＡの旧メールアドレス（Previous−mail-address）と新メールアドレス（Current-mail-address）とをメールヘッダに付加し、チェックボックスがオンになっていたユーザＢ、Ｄのメールアドレスを宛先にしたメールを送信する（ステップ２３）。
【００５８】
このメールを携帯電話Ｂ、Ｄが受信すると（ステップ２４）、携帯電話Ｂ、Ｄの演算部２１は、メールヘッダを解析し、メールヘッダの“Ｆｒｏｍ”がサーバのアドレスであるか否かを識別する（ステップ２５）。サーバのアドレスでないときは（ステップ２５でＮｏ）、通常メールの受信処理を行う（ステップ３４）。
【００５９】
サーバのアドレスであるときは（ステップ２５でＹｅｓ）、メールヘッダの“Previous-mail-address”を参照し（ステップ２６）、この“Previous-mail-address”のメールアドレスと送信先メールアドレス記憶部２２３に記録されているメールアドレスとを比較し（ステップ２７）、同一のメールアドレスを検出する（ステップ２８）。同一のメールアドレスが検出できないときは（ステップ２８でＮｏ）、処理を終了する。同一のメールアドレスが検出できたときは（ステップ２８でＹｅｓ）、メールヘッダの“Current-mail-address”からユーザＡの新メールアドレスを取得し（ステップ２９）、「Ａさんのメールアドレスをuser-a-previous@docomo.ne.jpからuser-a@docomo.ne.jpに変更しますか？」と表示する（ステップ３０）。
【００６０】
ユーザＢ、Ｄの選択を待ち（ステップ３１）、「いいえ」を選択したとき（ステップ３２でＮｏ）は、処理を終了する。「はい」を選択したとき（ステップ３２でＹｅｓ）は、ユーザＡの旧メールアドレスを削除し、新メールアドレスを登録する（ステップ３３）。
【００６１】
このように、このシステムでは、携帯電話のメールアドレスを変更した場合に、携帯電話の電話帳に登録されているメールアドレスの中からユーザが選択した相手のメールアドレスに自動的にアドレス変更通知が送られる。
【００６２】
従って、ユーザは、アドレス変更通知の送り先を事前にサーバに登録する必要が無く、また、サーバも、各ユーザの指定するアドレス変更通知先を管理する必要がない。そのため、ユーザ及びサーバの負担を軽くすることができる。
【００６３】
なお、ここでは携帯電話Ａからサーバにアドレスデータを圧縮して送ることとしたが、アドレスデータのデータ量が少なければ圧縮しなくても良い。
【００６４】
（第２の実施形態）
本発明の第２の実施形態におけるメールアドレス変更通知システムでは、アドレス変更通知が、アドレスを変更した携帯電話から通常のメールとして、アドレス変更通知先の携帯電話に送られる。
【００６５】
このシステムの概略図は、図１と同じである。ただ、サーバ１０は、携帯電話Ａ２０のアドレス変更の処理を行うだけで、携帯電話Ａ２０が送信したアドレス変更を知らせるメールに関しては、宛先のメールアドレスに転送する通常のメール処理だけを行う。
【００６６】
図１０は、このシステムの携帯電話２０の構成を示すブロック図である（携帯電話３０、５０の構成も同様である）。
【００６７】
この携帯電話２０は、記憶部２２に、更新前のメールアドレスを記憶するユーザ旧メールアドレス記憶部２２１を有し、演算部２１に、電話帳検索部２１２、メールヘッダ解析部２１４、電話帳更新部２１５とともに、メールヘッダに必要なデータを追加するメールヘッダ追加部２１３を有している。その他の構成は第１の実施形態（図２）と変わりがない。
【００６８】
メールヘッダ追加部２１３は、アドレス変更を通知するメールのヘッダに、メールアドレスを変更したことが分かるような属性を付加する。
【００６９】
演算部２１は、携帯電話２０に搭載されたメールアドレス変更通知用プログラムを実行することにより、電話帳検索部２１２、メールヘッダ解析部２１４、電話帳更新部２１５及びメールヘッダ追加部２１３を実現する。
【００７０】
次に、このシステムでの処理手順を図１１、図１２及び図１３のフロー図に基づいて説明する。
【００７１】
ユーザＡは、携帯電話Ａから新メールアドレスを入力してメールアドレスの変更操作を行う（ステップ５０）。携帯電話Ａは、サーバにアクセスしてメールアドレスの変更を要求する（ステップ５１）。サーバは、携帯電話Ａのアドレス変更処理を行い（ステップ５２）、アドレス変更処理の完了を携帯電話Ａに通知する（ステップ５３）。
【００７２】
この通知を受けた携帯電話Ａの演算部２１は、旧メールアドレスをユーザ旧メールアドレス記憶部２２１に保存し、新メールアドレスをユーザ新メールアドレス記憶部２２２に保存し（ステップ５４）、アドレス変更処理が完了したことを表示部２４に表示する（ステップ５５）。
【００７３】
その後のステップ５６〜６７での処理は、第１の実施形態（図４）におけるステップ６〜１７と同じであり、電話帳に登録されているアドレスの中から、メールアドレスの変更を通知する相手をユーザＡの意向に基づいて特定する。
【００７４】
携帯電話Ａの演算部２１は、チェックボックスで特定した相手にメールアドレスの変更を通知することについてユーザＡに確認した後（ステップ６８）、チェックボックスがオンになっているユーザのアドレスデータをメールの宛先に追加し、メールのヘッダに、メールアドレスを変更したことが分かるような属性を付加し、さらに、ユーザ旧メールアドレス記憶部２２１に保存した旧メールアドレスと、ユーザ新メールアドレス記憶部２２２に保存した新メールアドレスとをヘッダに付加する。
【００７５】
図１４は、ステップ６９の処理が行われたメールヘッダを示している。宛先には、アドレス変更を知らせる携帯電話Ｂ及びＤのメールアドレスが記述され、メールアドレスが変更されたことを示す属性として“Mail-address-changed:yes”が記述され、携帯電話Ａの旧メールアドレス（Previous−mail-address）と新メールアドレス（Current-mail-address）とが記述されている。
【００７６】
携帯電話Ａは、このメールを送信する（ステップ７０）。サーバは、通常のメール処理を行う（ステップ７１）（ステップ７２）。
【００７７】
携帯電話Ｂ、Ｄの演算部２１は、このメールを受信すると（ステップ７３）、メールヘッダを解析し、メールヘッダの“Mail-address-changed”が“Ｙｅｓ”か否かを識別する（ステップ７４）。“Ｙｅｓ”でないときは（ステップ７４でＮｏ）、通常メールの受信処理を行う（ステップ８３）。
【００７８】
“Mail-address-changed”が“Ｙｅｓ”のときは（ステップ７４でＹｅｓ）、その後のステップ７５〜８２の処理として、第１の実施形態（図４）におけるステップ２６〜３３と同じ処理を行う。即ち、メールヘッダの“Previous-mail-address”を参照し（ステップ２６）、この“Previous-mail-address”のメールアドレスと同じメールアドレスが送信先メールアドレス記憶部２２３に記録されている場合に、ユーザＢ、Ｄの意向を確認した後、ユーザＡの旧メールアドレスを削除して、新メールアドレスを登録する。
【００７９】
このように、このシステムでは、携帯電話のメールアドレスを変更した場合に、その携帯電話の電話帳に登録されているメールアドレスの中からユーザが選択した相手に対し、直接、アドレス変更を知らせるメールが送られる。
【００８０】
従って、ユーザは、アドレス変更通知の送り先を事前にサーバに登録する必要が無く、また、サーバも、特別の処理を行う必要がない。そのため、ユーザ及びサーバの負担が軽減される。
【００８１】
なお、第１及び第２の実施形態では、ユーザがアドレス変更を知らせるメールのタイトル・本文を書くこととした（ステップ１３、ステップ６３）が、ユーザの手間を省くために、定型のものを使用しても良い。
【００８２】
また、第１及び第２の実施形態では、メールアドレスの変更時に、アドレス変更の通知先を特定するチェックボックスのオン・オフ操作を行うこととした（ステップ１０、ステップ６０）が、メールアドレスの変更前に予めこの操作を実施し、メールアドレスの変更時に、その操作結果を表示して確認するようにしても良い。
【００８３】
また、メールを受信した携帯端末Ｂ、Ｄが、第１の実施形態では、メールヘッダの送信元にサーバが記述されていることから、また、第２の実施形態では、メールヘッダに、メールアドレスが変更されたことを示す属性があることから、アドレス変更通知として識別しているが、いわゆる曖昧検索を用いて、メールの主題、本文等の言葉・単語（「アドレス変更」「変更通知」など）から変更通知であることを識別するようにしても良い。
【００８４】
（他の実施形態）
上述の第１、第２の実施形態においては、アドレス変更通知を受信する受信側の端末（携帯電話Ｂ・Ｄ）は、受信メールのメールヘッダに付加された旧メールアドレスを参照し、メールアドレスが変更された相手を認識している（図６のステップ２８）。しかしながら、この構成下では、受信側の端末においてメールアドレスが変更された相手の旧メールアドレスを保持していない場合（例えば名前と電話番号のみしか保持していない）、当該相手を検出することができず、たとえ新しいメールアドレスの通知を受けても、図６のステップ２９〜３３のように、ユーザが容易にその新アドレスを端末に取り込むことができなくなる。
【００８５】
ここで、上述のような状況下でも、受信側が容易に新メールアドレスを取り込むことを可能とするよう、第１、第２の実施形態を変形することができる。
【００８６】
図１５は、第１の実施形態の変形例における携帯電話２０の構成を示すブロック図であり、図２の構成に加え、記憶部２２にユーザ情報記憶部２２４が追加されている。このユーザ情報記憶部２２４は、メールアドレス以外のユーザ情報を記憶する部分であり、例えばユーザ名、電話番号等、メールアドレス以外のユーザを特定する情報が格納されている。
【００８７】
また、図１６は、第１の実施形態の変形例におけるサーバ１０の構成を示すブロック図であり、図３の構成に加え、携帯電話２０におけるユーザ情報記憶部２２４と同等の機能を有するユーザ情報記憶１２３が追加されている。
【００８８】
本変形例における処理手順を図１７、図１８のフロー図に基づいて説明する。尚、携帯電話Ａにおいて、図４のフロー図の処理手順と全く同等の手順が実施されることが前提である。ただし、ステップ６において、「電話帳に登録されているメールアドレスに対して、」の部分は、「電話帳に登録されている人に対して、」となる。
【００８９】
図１７に示すように、第１実施形態の図５の場合と異なり、本変形例では、ステップ２０で、アドレスデータに加え、ユーザ情報記憶部２２４に記憶された自らのユーザ情報（例えば名前と電話番号）をもメールに添付して、サーバに送信する。従って、第１の実施形態のメールである図８と異なり、本変形例のメールは、図１９に示すように、「User-name」と「Phone-number」が加えられたものになる。
【００９０】
サーバの演算部１１は、このメールを受信すると（ステップ２１）、アドレスデータを解凍し（ステップ２２）、図９に示した先に保存したユーザＡの旧メールアドレス（Previous−mail-address）と新メールアドレス（Current-mail-address）に加え、図２０に示すようにユーザ情報記憶部１２３に保持されたユーザ情報をメールヘッダに付加し、チェックボックスがオンになっていたユーザＢ、Ｄのメールアドレスを宛先にしたメールを送信する（ステップ２３）。
【００９１】
次に受信側の携帯電話のＢ，Ｄの処理を図１８に基づき説明する。ステップ２４〜２７の処理は、図６と同様である。ただし、ステップ２５において、メールヘッダの“Ｆｒｏｍ”がサーバのアドレスでないときは（ステップ２５でＮｏ）、処理を終了する。
【００９２】
サーバのアドレスであるときは（ステップ２５でＹｅｓ）、メールヘッダの“Previous-mail-address”を参照し（ステップ２６）、この“Previous-mail-address”のメールアドレスと送信先メールアドレス記憶部２２３に記録されているメールアドレスとを比較し（ステップ２７）、同一のメールアドレスを検出する（ステップ２８）。ここで、同一のメールアドレスが検出できたときは（ステップ２８でＹｅｓ）、移行の処理は図６と同様である。
【００９３】
一方、同一のメールアドレスが検出できないとき（ステップ２８でＮｏ）、本例ではさらに図２０に示したメールヘッダの「User-name」及び「Phone-number」を参照し（ステップ３５）、参照した「User-name」、「Phone-number」を、アドレス帳に登録されている情報（記憶部２２のユーザ情報記憶部２２４）と比較する（ステップ３６）。そして、
「User-name」、「Phone-number」の両方が一致した場合（ステップ３７でＹｅｓ）、ユーザＡの名前と電話番号が登録されている（メールアドレスは未登録）ということが判明するため、ステップ２９以降の処理に入り、ユーザＡのアドレスを登録する。「User-name」、「Phone-number」の両方が一致しない場合（ステップ３７でＮｏ）、処理を終了する。
【００９４】
このように、本例では、携帯電話のメールアドレスを変更した場合に、携帯電話の電話帳に登録されているメールアドレスの中からユーザが選択した相手のメールアドレスに自動的にアドレス変更通知が送られるが、この際、送信側の他の特定情報（名前、電話番号等）もあわせて送る。
【００９５】
従って、受信側の端末においてメールアドレスが変更された送信側の旧メールアドレスを保持していない場合（例えば名前と電話番号のみしか保持していない）であっても、当該送信側を検出、特定することができ、容易にその新アドレスを端末に取り込むことができる。
【００９６】
上述の説明は第１の実施形態の変形例に関するものであるが、第２の実施形態も同様に変形することができる。  図２１は、第２の実施形態の変形例における携帯電話２０の構成を示すブロック図であり、図１０の構成に加え、記憶部２２にユーザ情報記憶部２２４が追加されている。
【００９７】
本変形例における処理手順は図２２のフロー図のように表わされる。尚、携帯電話Ａにおける処理手順は、第１実施形態と同等の処理である。本変形例におけるメールは、第２の実施形態のメールである図１４と異なり、図２３に示すように、「User-name」と「Phone-number」が加えられたものになる。
【００９８】
図２２の処理は、図１８の処理のステップ３５〜３７に相当するステップ８４〜８６が、図１３の処理に加えられたものである。本変形例においても上述した変形例と同等の効果が得られる。
【００９９】
尚、上述の実施形態では、アドレスデータ圧縮部にてアドレスデータを圧縮した後（例えば図５のステップ１９）、圧縮データを送信しているが、さらにデータに対し暗号化を施した後送信するようにすればセキュリティの向上を図ることができる。
【０１００】
また、上述の実施形態では新メールアドレスを受信した側（携帯電話Ｂ、Ｄ）が旧メールアドレスを削除する際、ユーザに確認を求める構成について説明した（例えば図４のステップ３０）。ただし、この構成は必須ではなく、旧メールアドレスの削除は、受信端末が自動に行なうようにしてもよい。この場合、例えば図６の例ではステップ３０〜３２は必要なく、ステップ２９から直接ステップ３３の動作が行なわれる。
【０１０１】
さらには、旧メールアドレスから新メールアドレスへの変更終了後に、ポップアップ、アイコン点灯等の方法によりユーザに通知する機能を付加してもよい。このような機能を付加することにより、ユーザの手間を省くとともに、変更を知らしめることができる。この場合、例えば図６の例ではステップ３０〜３２の削除と共に、ステップ３３の後、このような通知の動作ステップが追加される。
【０１０２】
また、新メールアドレス、変更通知を送信した側（携帯電話Ａ、サーバ１０）にも、新メールアドレス、変更通知を送信後に自動で削除する機能を付加することができる。
【０１０３】
また、第１及び第２の実施形態では、専ら携帯電話を対象に説明したが、本発明は、メール送信可能な端末全てを対象とすることができる。
【０１０４】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【０１０５】
本発明は、メール機能を有する携帯電話やＰＣなどの端末装置のメールアドレスを変更した際に、それを他の端末装置に少ない負担で知らせることができるシステムとして、また、それを実施する装置として、広く利用することができる。
【図面の簡単な説明】
【０１０６】
【図１】本発明の第１の実施形態におけるメールアドレス変更通知システムの概略図
【図２】本発明の第１の実施形態における携帯電話の構成を示すブロック図
【図３】本発明の第１の実施形態におけるサーバの構成を示すブロック図
【図４】本発明の第１の実施形態におけるメールアドレス変更通知システムの動作を示すフロー図
【図５】本発明の第１の実施形態におけるメールアドレス変更通知システムの動作を示すフロー図（図４の続き）
【図６】本発明の第１の実施形態におけるメールアドレス変更通知システムの動作を示すフロー図（図５の続き）
【図７】本発明の第１の実施形態における携帯電話の送信相手選択画面を示す図
【図８】本発明の第１の実施形態における携帯電話がサーバに送るメールを示す図
【図９】本発明の第１の実施形態におけるサーバが他の端末に送るアドレス変更通知メールを示す図
【図１０】本発明の第２の実施形態における携帯電話の構成を示すブロック図
【図１１】本発明の第２の実施形態におけるメールアドレス変更通知システムの動作を示すフロー図
【図１２】本発明の第２の実施形態におけるメールアドレス変更通知システムの動作を示すフロー図（図１１の続き）
【図１３】本発明の第２の実施形態におけるメールアドレス変更通知システムの動作を示すフロー図（図１２の続き）
【図１４】本発明の第２の実施形態における携帯電話が他の端末に送るアドレス変更通知メールのメールヘッダを示す図
【図１５】本発明の第１の実施形態の変形例における携帯電話の構成を示すブロック図
【図１６】本発明の第１の実施形態の変形例におけるサーバの構成を示すブロック図
【図１７】本発明の第１の実施形態の変形例におけるメールアドレス変更通知システムの動作を示すフロー図（図４の続き）
【図１８】本発明の第１の実施形態の変形例におけるメールアドレス変更通知システムの動作を示すフロー図（図１７の続き）
【図１９】本発明の第１の実施形態の変形例における携帯電話がサーバに送るメールを示す図
【図２０】本発明の第１の実施形態の変形例におけるサーバが他の端末に送るアドレス変更通知メールを示す図
【図２１】本発明の第２の実施形態の変形例における携帯電話の構成を示すブロック図
【図２２】本発明の第２の実施形態の変形例におけるメールアドレス変更通知システムの動作を示すフロー図（図１２の続き）
【図２３】本発明の第２の実施形態の変形例における携帯電話が他の端末に送るアドレス変更通知メールのメールヘッダを示す図
【符号の説明】
【０１０７】
１０    サーバ
１１    演算部
１２    記憶部
１３    通信部
２０    携帯電話
２１    演算部
２２    記憶部
２３    通信部
２４    表示部
２５    入力部
３０    携帯電話
４０    携帯電話
５０    携帯電話
１１１  アドレス変更処理部
１１２  アドレスデータ解凍部
１１３  メールヘッダ追加部
１２１  ユーザ旧メールアドレス記憶部
１２２  ユーザ新メールアドレス記憶部
１２３  ユーザ情報記憶部
１３１  受信部
１３２  送信部
２１１  アドレスデータ圧縮部
２１２  電話帳検索部
２１３  メールヘッダ追加部
２１４  メールヘッダ解析部
２１５  電話帳更新部
２２１  ユーザ旧メールアドレス記憶部
２２２  ユーザ新メールアドレス記憶部
２２３  送信先メールアドレス記憶部
２２４  ユーザ情報記憶部
２３１  受信部
２３２  送信部
【図１】
2007066051.tif 000003
【図２】
2007066051.tif 000004
【図３】
2007066051.tif 000005
【図４】
2007066051.tif 000006
【図５】
2007066051.tif 000007
【図６】
2007066051.tif 000008
【図７】
2007066051.tif 000009
【図８】
2007066051.tif 000010
【図９】
2007066051.tif 000011
【図１０】
2007066051.tif 000012
【図１１】
2007066051.tif 000013
【図１２】
2007066051.tif 000014
【図１３】
2007066051.tif 000015
【図１４】
2007066051.tif 000016
【図１５】
2007066051.tif 000017
【図１６】
2007066051.tif 000018
【図１７】
2007066051.tif 000019
【図１８】
2007066051.tif 000020
【図１９】
2007066051.tif 000021
【図２０】
2007066051.tif 000022
【図２１】
2007066051.tif 000023
【図２２】
2007066051.tif 000024
【図２３】
2007066051.tif 000025